(57)【要約】【課題】大量の土や砂利を必要としない、取り扱い容易で作業性の良い防災用水のう、及び、その防災用水のうを用いた、構築容易な防災用水のう集合体を提供する。【解決手段】水挿入口２と水排出口３とを備えた軟質樹脂バッグをフレコンバッグ６内に収納し、水挿入口２と水排出口３とをフレコンバッグ６外に露出させた防災用水のう１を提供する。前記フレキシブルコンテナバッグ６の側面には、紐又は綱を通して防災用水のう１を保持する１乃至複数の保持体８，８…が設けられている。そして、前記防災用水のう１の軟質樹脂バッグに水を入れた水入り防災用水のう１の保持体８に紐又は綱７を通し、紐又は綱７を１乃至複数の並行する長紐又は長綱９，９に結着し、同様にして、複数の水入り防災用水のう１，１…を長紐又は長綱９，９に沿って連接して密接状態で並べ、長紐又は長綱９，９に保持させて防災用水のう集合体１０を形成する。【選択図】図２
0003144058.tif 000002
【実用新案登録請求の範囲】
【請求項１】
水挿入口と水排出口とを備えた軟質樹脂バッグをフレキシブルコンテナバッグ内に収納し、前記水挿入口と水排出口とを前記フレキシブルコンテナバッグ外に露出させたことを特徴とする防災用水のう。
【請求項２】
前記フレキシブルコンテナバッグの側面に、紐又は綱を通して前記防災用水のうを保持する１乃至複数の保持体を設けたことを特徴とする請求項１記載の防災用水のう。
【請求項３】
前記フレキシブルコンテナバッグの両側面又は前側面に、紐又は綱に着脱自在の着脱具を先端又は両端に設けた１乃至複数の取付部材を配設したことを特徴とする請求項１記載の防災用水のう。
【請求項４】
前記フレキシブルコンテナバッグの両側面又は前側面に、紐又は綱に巻回自在の１乃至複数の面ファスナーを設けたことを特徴とする請求項１記載の防災用水のう。
【請求項５】
請求項２記載の防災用水のうの前記軟質樹脂バッグに水を入れた水入り防災用水のうの前記保持体に紐又は綱を通し、前記紐又は綱を１乃至複数の並行する長紐又は長綱に結着し、同様にして、複数の前記水入り防災用水のうを前記長紐又は長綱に沿って連接して密接状態で並べ、前記複数の水入り防災用水のうを前記長紐又は長綱に保持させてなることを特徴とする防災用水のう集合体。
【請求項６】
請求項３記載の防災用水のうの前記軟質樹脂バッグに水を入れた水入り防災用水のうの前記着脱具を１乃至複数の並行する長紐又は長綱に取付け、同様にして、複数の前記水入り防災用水のうを前記長紐又は長綱に沿って連接して密接状態で並べ、前記複数の水入り防災用水のうを前記長紐又は長綱に保持させてなることを特徴とする防災用水のう集合体。
【請求項７】
請求項４記載の防災用水のうの前記軟質樹脂バッグに水を入れた水入り防災用水のうの前記面ファスナーを１乃至複数の並行する長紐又は長綱に巻回して取付け、同様にして、複数の前記水入り防災用水のうを前記長紐又は長綱に沿って連接して密接状態で並べ、前記複数の水入り防災用水のうを前記長紐又は長綱に保持させてなることを特徴とする防災用水のう集合体。
【考案の詳細な説明】
【技術分野】
【０００１】
本考案は、フレキシブルコンテナバッグを利用した防災用水のう及び防災用水のう集合体に関する。
【背景技術】
【０００２】
従来、水害を防ぐために、土のうにより簡易な堤防を築き、土のうで水の流れを阻止する防災用土のうが知られている。
然しながら、土のうは、袋の中に土や砂利などを入れる作業が伴い、その作業が極めて重労働であり、作業時間もかかるという問題があり、更に、大量の土や砂利を確保及び搬送することも困難を伴う場合が多い。
尚、従来の土のうの一例が特許文献１に記載されている。
【特許文献１】特開２００１−２７１３１９号公報
【考案の開示】
【考案が解決しようとする課題】
【０００３】
前述したように、従来の土のうは、袋の中に土や砂利などを入れる作業が伴い、その作業が極めて重労働であり、作業時間もかかるという問題があり、更に、大量の土や砂利を確保及び搬送することも困難であるという問題がある。
【０００４】
以上の現状に鑑み、本考案の目的は、大量の土や砂利を必要としない、取り扱い容易で作業性の良い防災用水のう、及び、その防災用水のうを用いた、構築容易な防災用水のう集合体を提供することを目的とする。
【課題を解決するための手段】
【０００５】
上記の課題を解決すべく、本考案は以下の構成を提供する。
請求項１に係る考案は、水挿入口と水排出口とを備えた軟質樹脂バッグをフレキシブルコンテナバッグ内に収納し、前記水挿入口と水排出口とを前記フレキシブルコンテナバッグ外に露出させたことを特徴とする防災用水のうを提供するものである
【０００６】
請求項２に係る考案は、前記フレキシブルコンテナバッグの側面に、紐又は綱を通して前記防災用水のうを保持する１乃至複数の保持体を設けたことを特徴とする請求項１記載の防災用水のうを提供するものである。
【０００７】
請求項３に係る考案は、前記フレキシブルコンテナバッグの両側面又は前側面に、紐又は綱に着脱自在の着脱具を先端又は両端に設けた１乃至複数の取付部材を配設したことを特徴とする請求項１記載の防災用水のうを提供するものである。
【０００８】
請求項４に係る考案は、前記フレキシブルコンテナバッグの両側面又は前側面に、紐又は綱に巻回自在の１乃至複数の面ファスナーを設けたことを特徴とする請求項１記載の防災用水のうを提供するものである。
【０００９】
請求項５に係る考案は、請求項２記載の防災用水のうの前記軟質樹脂バッグに水を入れた水入り防災用水のうの前記保持体に紐又は綱を通し、前記紐又は綱を１乃至複数の並行する長紐又は長綱に結着し、同様にして、複数の前記水入り防災用水のうを前記長紐又は長綱に沿って連接して密接状態で並べ、前記複数の水入り防災用水のうを前記長紐又は長綱に保持させてなることを特徴とする防災用水のう集合体を提供するものである。
【００１０】
請求項６に係る考案は、請求項３記載の防災用水のうの前記軟質樹脂バッグに水を入れた水入り防災用水のうの前記着脱具を１乃至複数の並行する長紐又は長綱に取付け、同様にして、複数の前記水入り防災用水のうを前記長紐又は長綱に沿って連接して密接状態で並べ、前記複数の水入り防災用水のうを前記長紐又は長綱に保持させてなることを特徴とする防災用水のう集合体を提供するものである。
【００１１】
請求項７に係る考案は、請求項４記載の防災用水のうの前記軟質樹脂バッグに水を入れた水入り防災用水のうの前記面ファスナーを１乃至複数の並行する長紐又は長綱に巻回して取付け、同様にして、複数の前記水入り防災用水のうを前記長紐又は長綱に沿って連接して密接状態で並べ、前記複数の水入り防災用水のうを前記長紐又は長綱に保持させてなることを特徴とする防災用水のう集合体を提供するものである。
【考案の効果】
【００１２】
本考案の請求項１記載の考案によれば、大量の土や砂利を必要としない、取り扱い容易で作業性の良い防災用水のうを提供することができる。
【００１３】
請求項２に係る考案は、請求項１記載の考案の効果に加え、防災用水のうを保持することが容易である。
【００１４】
請求項３に係る考案は、請求項１記載の考案の効果に加え、防災用水のうを保持させる作業が容易である。
【００１５】
請求項４に係る考案は、請求項１記載の考案の効果に加え、防災用水のうを保持させる作業が容易である。
【００１６】
請求項５に係る考案は、防災用水のうを用いた、構築容易な防災用水のう集合体を提供することができる。
【００１７】
請求項６に係る考案は、請求項５に係る考案の効果に加えて、更に作業が容易である。
【００１８】
請求項７に係る考案は、請求項５に係る考案の効果に加えて、更に作業が容易である。
【考案を実施するための最良の形態】
【００１９】
以下、実施例を示した図面を参照しつつ本考案の実施の形態を説明する。
図１（ａ）に於いて、１は本考案の防災用水のうであり、防災用水のう１は、同図（ｂ）に示すように、開閉蓋付きの水挿入口２と、開閉蓋付きの水排出口３と、開閉蓋付きの空気排出口４とを備えた軟質樹脂バッグ５をフレキシブルコンテナバッグ(Flexible Containers。以下、フレコンバッグという。)６内に収納し、水挿入口２と水排出口３と空気排出口４とをフレコンバッグ６外に露出させたものである。
ここで、フレキシブルコンテナバッグとは、粉末や粒状物の荷物を運搬しやすくする袋状の包材のことであり、ポリエチレンやポリプロピレン等の丈夫な化学繊維で編まれたシートで作成されるものである。
尚、前記開閉蓋付きの水挿入口２及び開閉蓋付きの空気排出口４の開閉蓋は、開閉を容易にするためのレバーが設けられたものであっても良い。
又、前記開閉蓋付きの水排出口３は、水栓付きの水排出口であっても良い。
【００２０】
そして、図２に示すように、フレコンバッグ６の側面に、紐又は綱７を通して防災用水のう１を保持するための複数の保持体８，８…が設けられている。保持体８は、例えば、同図に示すように、フレコンバッグ６の両側面の上下２箇所に設けられる。そして、保持体８は帯状に形成され、フレコンバッグ６の側面に縦長（垂直方向）に配置されてその両端が上下位置でフレコンバッグ６に縫着又は結着され、中央部に紐又は綱を通せるように形成される。
【００２１】
而して、図２に示すように、防災用水のう１の軟質樹脂バッグ５に水を入れた水入り防災用水のう１の保持体８，８…に紐又は綱７，７を通し、紐又は綱７，７の両端を１乃至複数（例えば２本）の並行する長紐又は長綱９，９に夫々結着し、同様にして、複数の水入り防災用水のう１，１…を長紐又は長綱９，９に沿って連接して密接状態で並べ、複数の水入り防災用水のう１，１…を長紐又は長綱９，９に保持させて防災用水のう集合体１０を形成する。尚、前記長紐又は長綱９に代えてワイヤーを用いても良い。
【００２２】
前記防災用水のう１は、大量の土や砂利を必要とせず、水を入れるだけで水のうを形成できるので、取り扱い容易で作業性が良い。又、水を入れない場合は、コンパクトな収納も可能である。
更に、防災用水のう１は、取り扱い容易で作業性が良いため、災害時に迅速に対応できる。
例えば、強風時等に於いて、前記水入りの防災用水のう１を用いて、樹木や、建物、その他の構築物等及び物品等の固定に利用することができる。防災用水のう１と、樹木や、建物、その他の構築物等又は物品等とをロープ等で固定することにより、それらの固定が可能である。
更に、防災用に限定されず、例えば、植樹時等の樹木の固定にも利用できる等、種々のものを固定することができる。
尚、その場合、前記防災用水のう１は、複数の保持体８，８…が設けられていることが望ましいが、保持体８が設けられていない状態で利用することも可能である。
又、前記防災用水のう集合体１０は、防災用の土のうの代わりに水等を堰き止めることが可能になる。更に、防災用水のう集合体１０は、例えば、土留等に利用したり、花壇、池等を形成したり、樹木や、建物、その他の構築物等又は物品等の固定に用いることも可能であり、その他、種々の用途が期待できる。
【００２３】
図３に於いて、２１は第１変形例の防災用水のうであり、防災用水のう２１は、前記防災用水のう（図２に於いて１）の保持体（図２に於いて８）に代えて、フレコンバッグ６の両側面に、紐又は綱に着脱自在の着脱具２２を先端に設けた１乃至複数の取付部材２３，２３…を設けたものである。取付部材２３は、例えば、同図に示すように、フレコンバッグ６の両側面の上下２箇所に設けられる。そして、取付部材２３は帯状に形成され、フレコンバッグ６の側面に横方向（水平方向）に配置されてその基端部がフレコンバッグ６に縫着又は結着される。前記着脱具２２として例えば、ナスカンや、マガタマスイベル等を用いることができるが、その他、フック類、その他の係止具を使用することも可能である。
【００２４】
而して、図３に示すように、防災用水のう２１の軟質樹脂バッグ５に水を入れた水入り防災用水のう２１の着脱具２２，２２を図中矢印で示すように引張する等して、１乃至複数（例えば２本）の並行する長紐又は長綱９，９に取付け、同様にして、図４に示すように複数の水入り防災用水のう２１，２１…を長紐又は長綱９，９に沿って連接して密接状態で並べ、複数の水入り防災用水のう２１，２１…を長紐又は長綱９，９に保持させて防災用水のう集合体２４を形成する。
【００２５】
前記防災用水のう集合体２４によっても、防災用の土のうの代わりに水等を堰き止めることが可能になり、その他、前記防災用水のう集合体１０と同様な効果が期待できる。又、着脱具２２を用いるので取付け、取外し作業が容易となる。
【００２６】
図５に於いて、３１は第２変形例の防災用水のうであり、防災用水のう３１は、前記防災用水のう（図２に於いて１）の保持体（図２に於いて８）に代えて、フレコンバッグ６の前面に、紐又は綱に着脱自在の着脱具３２，３２を両端に設けた１乃至複数（例えば２本）の取付部材３３，３３を設けたものである。取付部材３３は、例えば、同図に示すように、フレコンバッグ６の前面の上下２箇所に設けられる。そして、取付部材３３は帯状に形成され、フレコンバッグ６の前面に横方向（水平方向）に配置されてその中央部がフレコンバッグ６に縫着又は結着される。前記着脱具３２としては、例えば、前記着脱具２２と同様のものを用いることができる。
【００２７】
而して、図５に示すように、防災用水のう３１の軟質樹脂バッグ５に水を入れた水入り防災用水のう３１の着脱具３２，３２を１乃至複数（例えば２本）の並行する長紐又は長綱９，９に取付け、同様にして、複数の水入り防災用水のう３１，３１…を長紐又は長綱９，９に沿って連接して密接状態で並べ、複数の水入り防災用水のう３１，３１…を長紐又は長綱９，９に保持させて防災用水のう集合体３４を形成する。
【００２８】
前記防災用水のう集合体３４によっても、防災用の土のうの代わりに水等を堰き止めることが可能になり、その他、前記防災用水のう集合体１０と同様な効果が期待できる。又、着脱具３２を用いるので取付け、取外し作業が容易となる。更に、前記防災用水のう集合体３４は、フレコンバッグ６の側面に取り付けず、フレコンバッグ６の前面に取付部材３３を設けることにより、複数の水入り防災用水のう３１，３１…を長紐又は長綱９，９に沿って連接して完全な密接状態で並べることができるので、防災用水のう３１，３１…間に隙間がなく、水等を完全に堰き止めることができる。
【００２９】
図６に於いて、４１は第３変形例の防災用水のうであり、防災用水のう４１は、前記防災用水のう（図２に於いて１）の保持体（図２に於いて８）に代えて、フレコンバッグ６の前面に、紐又は綱に巻回自在の１乃至複数の面ファスナー４２，４２…を設けたものである。面ファスナー４２は、例えば、同図に示すように、フレコンバッグ６の前面の上下左右４箇所に設けられる。そして、面ファスナー４２は帯状に形成され、フレコンバッグ６の前面に縦方向（垂直方向）に配置されてその基端部がフレコンバッグ６に逢着又は結着され、その中央部で紐又は綱に巻回し、その先端部が基端部と面ファスナーとして結合するように構成される。
【００３０】
而して、図６に示すように、防災用水のう４１の軟質樹脂バッグ５に水を入れた水入り防災用水のう３１の面ファスナー４２，４２…を１乃至複数（例えば２本）の並行する長紐又は長綱９，９に巻回し、同様にして、複数の水入り防災用水のう４１，４１…を長紐又は長綱９，９に沿って連接して密接状態で並べ、複数の水入り防災用水のう４１，４１…を長紐又は長綱９，９に保持させてなる防災用水のう集合体４３を形成する。
【００３１】
前記防災用水のう集合体４３によっても、防災用の土のうの代わりに水等を堰き止めることが可能になり、その他、前記防災用水のう集合体１０と同様な効果が期待できる。又、面ファスナー４２を用いるので取付け、取外し作業が容易となる。更に、前記防災用水のう集合体４３は、フレコンバッグ６の側面に取り付けず、フレコンバッグ６の前面に取付部材３３を設けることにより、複数の水入り防災用水のう４１，４１…を長紐又は長綱９，９に沿って連接して完全な密接状態で並べることができるので、防災用水のう４１，４１…間に隙間がなく、水等を完全に堰き止めることができる。
【００３２】
尚、前記面ファスナー４２をフレコンバッグ６の前面に設ける構成に代えて、両側面に設ける構成も可能である。
【図面の簡単な説明】
【００３３】
【図１】（ａ）本考案による防災用水のうの斜視図である。（ｂ）本考案による軟質樹脂バッグの斜視図である。
【図２】（ａ）本考案による防災用水のう集合体の斜視図である。（ｂ）本考案による防災用水のう集合体の一部平面図である。
【図３】（ａ）本考案による第１変形例の防災用水のうの側面図である。（ｂ）本考案による第１変形例の防災用水のうの着脱具の操作を示す側面図である。
【図４】本考案による第１変形例の防災用水のうを用いた防災用水のう集合体の正面図である。
【図５】（ａ）本考案による第２変形例の防災用水のうの側面図である。（ｂ）本考案による第２変形例の防災用水のうを用いた防災用水のう集合体の正面図である。
【図６】（ａ）本考案による第３変形例の防災用水のうの側面図である。（ｂ）本考案による第３変形例の防災用水のうを用いた防災用水のう集合体の正面図である。
【符号の説明】
【００３４】
１，２１，３１，４１  防災用水のう
２  水挿入口
３  水排出口
５  軟質樹脂バッグ
６  フレコンバッグ
７  紐又は綱
８  保持体
９  長紐又は長綱
１０，２４，３４，４３  防災用水のう集合体
２２，３２  着脱具
２３，３３  取付部材
４２  面ファスナー
【図１】
0003144058.tif 000003
【図２】
0003144058.tif 000004
【図３】
0003144058.tif 000005
【図４】
0003144058.tif 000006
【図５】
0003144058.tif 000007
【図６】
0003144058.tif 000008